(57)【要約】【課題】  中央役物を装着するため遊技盤に穿設された孔（ルーター）を小さくし遊技本来の醍醐味である釘の配置するスペースを大きくとると共に、中央役物の遊技盤の裏面側の部分を大きくし中央役物において行われる演出を多様なものとして、遊技者の遊技に対する満足度を向上させたパチンコ遊技機を提供する。【解決手段】  中央役物２を、表飾り枠２１、裏機構部２２、上部演出機構部２３及び側面演出機構部２４に分け、表飾り枠２１は遊技盤面表側から、裏機構部２２、上部演出機構部２３及び側面演出機構部２４は遊技盤面裏側から装着して構成する。この結果、ルーター２５を小さくできるとともに上部演出機構部２３および側面演出機構部２４に多様な演出を組み込めるようになる。【選択図】  図２
2012086098.tif 000002
【特許請求の範囲】
【請求項１】
遊技盤の表側に装飾が施された表飾り枠と、
該表飾り枠の内側に流入してきた遊技球を前記遊技盤の裏側に一旦誘導した後、該遊技盤の裏側から表側へと戻す経路を形成する裏機構部と、
該裏機構部にて形成される前記遊技球の経路に演出手段を配置し、該演出手段を駆動することにより各種演出を行う１又は複数の演出機構部と、
からなり、前記遊技盤に穿設された孔に取り付けられて、前記遊技盤に対して奥行きのある遊技球の誘導及び演出を行う遊技機の中央役物であって、
前記演出機構部は、前記遊技盤への装着後の裏機構部に対して前記遊技盤の裏側で装着できるように、前記裏機構部とは別体で構成され、
前記裏機構部は、前記表飾り枠と一体化したユニットとして構成され、しかも、該ユニットの前記遊技盤への装着時には当該裏機構部を前記遊技盤の表側から前記孔に挿入できるように、当該裏機構部を前記遊技盤の表側から見た時の外形が前記孔の開口面よりも小さくなるように構成されたことを特徴とする遊技機の中央役物。
【請求項２】
遊技盤の表側に装飾が施された表飾り枠と、
該表飾り枠の内側に流入してきた遊技球を前記遊技盤の裏側に一旦誘導した後、該遊技盤の裏側から表側へと戻す経路を形成する裏機構部と、
該裏機構部にて形成される前記遊技球の経路に演出手段を配置し、該演出手段を駆動することにより各種演出を行う１又は複数の演出機構部と、
からなり、前記遊技盤に穿設された孔に取り付けられて、前記遊技盤に対して奥行きのある遊技球の誘導及び演出を行う遊技機の中央役物であって、
前記表飾り枠と前記裏機構部とは各々別体で構成されると共に、前記表飾り枠は前記遊技盤の孔に対して表側から装着可能に構成され、前記裏機構部は前記遊技盤の孔に対して裏側から装着可能に構成されたことを特徴とする遊技機の中央役物。
【請求項３】
前記表飾り枠と前記裏機構部とには、互いに係合可能な係合手段が夫々設けられ、前記表飾り枠及び前記裏機構部は、前記遊技盤への装着時に前記孔を介して各係合手段が互いに係合することにより、互いに連結されて前記遊技盤を挟持することを特徴とする請求項２記載の遊技機の中央役物。
【請求項４】
前記表飾り枠及び前記裏機構部の少なくとも一方には、前記遊技盤への装着時に前記表飾り枠と前記裏機構部との相対位置を位置決めするための位置決め手段が設けられたことを特徴とする請求項２又は請求項３記載の遊技機の中央役物。
【請求項５】
前記裏機構部と前記演出機構部とは別体で構成されたことを特徴とする請求項２〜請求項４何れか記載の遊技機の中央役物。
【請求項６】
前記裏機構部と前記演出機構部とには互いに係合可能な係合手段が設けられ、前記演出機構部は、該係合手段を介して、前記裏機構部に装着・固定されることを特徴とする請求項１又は請求項５記載の遊技機の中央役物。
【請求項７】
前記裏機構部及び前記演出機構部の少なくとも一方には、前記演出機構部の前記裏機構部への装着時に、これらの相対位置を位置決めするための位置決め手段が設けられたことを特徴とする請求項１又は請求項５又は請求項６記載の遊技機の中央役物。
【請求項８】
前記演出機構部は、前記裏機構部にて形成される前記遊技球の経路に対して退避可能に前記演出手段を保持し、該演出手段は、前記各種演出を行う演出時に前記経路に配置されることを特徴とする請求項１〜請求項７何れか記載の遊技機の中央役物。
【請求項９】
前記演出手段は、遊技機の動作状態若しくは動作予測を報知することを特徴とする請求項１〜請求項８何れか記載の遊技機の中央役物。
【請求項１０】
前記演出機構部は、前記演出手段を前記径路上で移動させることにより、遊技球の進路を誘導することを特徴とする請求項１〜請求項９何れか記載の遊技機の中央役物。
【発明の詳細な説明】
【技術分野】
【０００１】
本発明は、遊技盤に穿設された孔に取り付けられて、遊技盤に対して奥行きのある遊技球の誘導及び演出を行う遊技機の中央役物に関する。
【背景技術】
【０００２】
従来、この種の中央役物は、遊技盤の表側に装飾が施された表飾り枠と、表飾り枠の内側に流入してきた遊技球を遊技盤の裏側に一旦誘導した後、遊技盤の裏側から表側へ戻す経路を持った裏機構部と、その遊技球の経路上で演出手段により演出を行う演出機構部とが、遊技盤への装着前より一体的にユニットとして構成されていた。そして遊技盤へのユニットの装着は、ユニットを遊技盤の表側より、遊技盤の中央に貫通した孔（ルーター）にはめ込んで装着していた。すなわち、遊技盤の表側から見た時、遊技盤の裏面側に配置されることになるユニットの外形は、ルータの開口面より小さくなるように構成されている必要があった。
【０００３】
このため、遊技盤の裏面側に配置されるユニットの大きさに合わせてルーターを大きくあけるか、もしくはルーターの大きさに合わせて遊技盤の裏面側に配置されるユニットの大きさを制限するというどちらかの方法によって中央役物は、遊技盤に装着されてきた。
【発明の概要】
【発明が解決しようとする課題】
【０００４】
しかし、遊技盤の裏面側に配置されるユニットの大きさを制限してしまうと遊技に関する演出が損なわれてしまう。近年では、遊技者を楽しませるために、演出手段の動きを複雑にし、演出機構部の大型化を進めてきている。そのため、ますますルーターが大きくあけられることになり、遊技本来の醍醐味である釘を配置するスペースを失う結果となってきているのが実状である。
【０００５】
本発明は、かかる課題に鑑みなされたもので、ルーターを小さくし遊技本来の醍醐味である釘の配置するスペースを大きくとると共に、中央役物の遊技盤の裏面側の部分を大きくし中央役物において行われる演出を多様なものとして、遊技者の遊技に対する満足度を上げることを目的とする。
【課題を解決するための手段】
【０００６】
かかる目的を達成するためになされた請求項１に記載の発明は、遊技盤の表側に装飾が施された表飾り枠と、該表飾り枠の内側に流入してきた遊技球を前記遊技盤の裏側に一旦誘導した後、該遊技盤の裏側から表側へと戻す経路を形成する裏機構部と、該裏機構部にて形成される前記遊技球の経路に演出手段を配置し、該演出手段を駆動することにより各種演出を行う１又は複数の演出機構部と、からなり、前記遊技盤に穿設された孔に取り付けられて、前記遊技盤に対して奥行きのある遊技球の誘導及び演出を行う遊技機の中央役物であって、前記演出機構部は、前記遊技盤への装着後の裏機構部に対して前記遊技盤の裏側で装着できるように、前記裏機構部とは別体で構成され、前記裏機構部は、前記表飾り枠と一体化したユニットとして構成され、しかも、該ユニットの前記遊技盤への装着時には当該裏機構部を前記遊技盤の表側から前記孔に挿入できるように、当該裏機構部を前記遊技盤の表側から見た時の外形が前記孔の開口面よりも小さくなるように構成されたことを特徴とする。
【０００７】
このように本発明の中央役物では、表飾り枠と裏機構部のみが一体化されたユニットとなっていて演出機構部は別体となっている。このため中央役物の取り付けは前記ユニット
を遊技盤表側からルーターに挿入し、その後遊技盤の裏側で演出機構部を装着するという手順になる。つまり、ルータを挿通するものは裏機構部のみとなる。したがって、演出機構部は、大きさや形状及び裏機構部に対しての取り付け位置が問われない。それゆえ、演出機構部には、様々な演出機構を組み込んで構成することができる。また、ルーターの大きさは、遊技盤の前面からはめ込む時の裏機構部の大きさのみに依存するので、演出機構部の大きさも関係していた従来に比べ、ルーターの大きさを小さくできる。すなわち、遊技釘の配置スペースを増やすことができる。
【０００８】
したがって、本発明の中央役物を有するパチンコ遊技機では、役物内の複雑な演出等により遊技者をより楽しませることができる。また、増えた遊技釘により、遊技球が釘に接触することによって起こる遊技球の動きの変化が複雑となり、遊技者がより期待を持って遊技球の動きを見守ることになる。故に、遊技者の遊技に対しての満足度を上げることができる。
【０００９】
また、請求項２に記載の発明は、遊技盤の表側に装飾が施された表飾り枠と、該表飾り枠の内側に流入してきた遊技球を前記遊技盤の裏側に一旦誘導した後、該遊技盤の裏側から表側へと戻す経路を形成する裏機構部と、該裏機構部にて形成される前記遊技球の経路に演出手段を配置し、該演出手段を駆動することにより各種演出を行う１又は複数の演出機構部と、からなり、前記遊技盤に穿設された孔に取り付けられて、前記遊技盤に対して奥行きのある遊技球の誘導及び演出を行う遊技機の中央役物であって、前記表飾り枠と前記裏機構部とは各々別体で構成されると共に、前記表飾り枠は前記遊技盤の孔に対して表側から装着可能に構成され、前記裏機構部は前記遊技盤の孔に対して裏側から装着可能に構成されたことを特徴とする。
【００１０】
このように本発明の中央役物では、装着状態において遊技盤の表側にある表飾り枠は遊技盤の表側から装着し、装着状態において遊技盤の裏側にある裏機構部と演出機構部は裏側から装着することになる。つまり、ルーターの大きさは、表飾り枠と裏機構部の接続部を挿通できる程度の大きさであればよい。したがって、ルーターを小さくすることができ、遊技釘の配置スペースを増やすことができる。また、ルーターの大きさを考慮する必要なく裏機構部や演出機構部に様々な機構を組み込んで構成することができる。
【００１１】
故に、本発明の中央役物を有するパチンコ遊技機では、役物内の複雑な演出等により遊技者をより楽しませることができる。また、増えた遊技釘により、遊技球が釘に接触することによって起こる遊技球の動きの変化が複雑となり、遊技者がより期待を持って遊技球の動きを見守ることになる。したがって、遊技者の遊技に対しての満足度を上げることができる。
【００１２】
ここで、請求項２に記載の遊技機の中央役物において、表飾り枠と裏機構部とは個々別体で構成されているため、これら二つを合体させ固定させる何らかの固定手段が必要である。その固定手段としてはビス等を用いて固定させてもよいが、ビス等を用いると組立て及び解体時にそれらを工具を用いて外す必要があり、組立て及び解体時の作業量が増えるということが考えられる。そこで、請求項３に記載の発明のように、表飾り枠と裏機構部とには、互いに係合可能な係合手段をそれぞれ設けるとよい。このようにすることにより、表飾り枠と裏機構部とは、遊技盤への装着時にそれぞれの係合手段が互いに係合することにより組立てることができ、ルーターを介して遊技盤に装着できる。すなわち、工具を用いてビスを締めたり緩めたりする必要がないので、組立て時及び解体時の作業性が向上する。
【００１３】
また更に、表飾り枠と裏機構部を合体させる際には、これら各部の相対位置を調整する必要があるが、この位置調整を手で行うようにすると、組立て時の作業性が低下する。そ
こで請求項４に記載のように表飾り枠及び裏機構部の少なくとも一方に、遊技盤への装着時に表飾り枠と裏機構部との相対位置を位置決めするための位置決め手段を設けるとよい。このようにすることにより、合体する双方の位置ががずれることなく瞬時かつ確実に位置決めできて合体でき、遊技盤に装着できる。したがって組立時の作業性が向上するとともに、組立精度も向上し、そしてビスを使用しないため、組立時及び解体時の作業も容易となる。
【００１４】
一方、請求項２〜請求項４に記載の遊技機の中央役物において、裏機構部と演出機構部とは、遊技盤への装着時前に一体化しておき、その後、遊技盤へ装着してもよいが、請求項５に記載のように裏機構部と演出機構部とは、別体で構成しておくと更によい。そして遊技盤への装着時には、まず表飾り枠と裏機構部を装着し、その後に演出機構部を装着するようにするとよい。なぜなら、遊技盤装着前より、裏機構部と演出機構部が一体であるとその一体化されたユニットは裏機構部だけに比べて大きさや重量が増しており、遊技盤への装着時の扱いが容易ではないが、表飾り枠と裏機構部を先に装着し、その後演出機構部を装着すれば、これら各部の遊技盤への装着が前記ユニットとして装着するのに比べ大きさや重量の点で作業が容易となるからである。
【００１５】
また、上述した請求項１又は請求項５に記載の遊技機の中央役物においても、裏機構部と演出機構部とは個々別体で構成されているため、これら二つを合体させ固定させる何らかの固定手段が必要である。その固定手段としてはビス等を用いて固定させてもよいが、ビス等を用いると組立て及び解体時にそれらを工具を用いて外す必要があり、組立て及び解体時の作業量が増えるということが考えられる。そこで、請求項６に記載の発明のように、裏機構部と演出機構部とには、互いに係合可能な係合手段をそれぞれ設けるとよい。このようにすることにより、裏機構部と演出機構部とは、合体時にそれぞれの係合手段が互いに係合することにより組立でき、ルーターを介して遊技盤に装着できる。すなわち、工具を用いてビスを締めたり緩めたりする必要がないので、組立て時及び解体時の作業性が向上する。
【００１６】
また更に、前記ユニットに演出機構部を装着する際の作業性を向上するには、請求項７に記載のように裏機構部及び演出機構部の少なくとも一方に、遊技盤への装着時に裏機構部と演出機構部との相対位置を位置決めするための位置決め手段を設けるとよい。このようにすることにより、装着する双方の位置ががずれることなく瞬時かつ確実に位置決めでき、装着できる。したがって組立時の作業性が向上するとともに、組立精度も向上し、そしてビスを使用しないため、組立時及び解体時の作業も容易となる。
【００１７】
次に、請求項８に記載の中央役物は、請求項１〜請求項７に記載の中央役物において、前記演出機構部は、前記裏機構部にて形成される前記遊技球の経路に対して退避可能に前記演出手段を保持し、該演出手段は、前記各種演出を行う演出時に前記経路に配置されることを特徴とする。
【００１８】
このようにすることにより、演出部材を、未動作時は遊技者から隠蔽し、動作時のみ遊技者から見えるようにすることができ、適宜場合に合わせて演出部材を露呈させて演出を多様化できるとともに、どのような演出が為されるかという期待を遊技者に対して持たせることにもなり、遊技者の遊技に対しての興趣を増すことにつながる。
【００１９】
更に、前記演出手段は請求項９に記載のように、遊技機の動作若しくは動作予測を報知するようにするとよい。このような報知により、遊技者は次の遊技の状態を予測及び期待することを行い、演出がより効果を増すことにつながり、遊技者の遊技に対する満足度を上げることができる。
【００２０】
そして、前記演出手段は請求項１０に記載のように、演出手段を、裏機構部内に設けられている遊技球の経路上で移動させて、遊技球の進路を誘導するようにしてもよい。このようにすると、遊技演出が遊技球の進路を誘導する演出とすることができるので、遊技者はその進路がどの様に変化するか期待を持って遊技演出を見守るため、遊技者の興趣を一層向上させることができる。
【図面の簡単な説明】
【００２１】
【図１】パチンコ遊技機の遊技盤を表す正面図である。
【図２】中央役物の組立前の側面図である。
【図３】中央役物の組立後の側面図である。
【図４】中央役物を水平方向に切断した断面図である。
【図５】上部演出機構部の垂直方向に切断した断面図である。
【図６】中央役物の正面図である。
【図７】他の中央役物の組立前側面図である。
【図８】他の中央役物の正面図である。
【図９】他の中央役物の正面図である。
【図１０】他のパチンコ遊技機の遊技盤を表す正面図である。
【発明を実施するための形態】
【００２２】
以下に本発明を具体化した実施例を図面と共に説明する。
図１は本発明の一実施例であるパチンコ遊技盤１の概略正面図である。このパチンコ遊技盤１はその表面に円弧状の外レール５及び内レール６の２本のレール等により略円形状に囲まれた遊技部７を備えている。また、遊技部７には複数の釘と３カ所の入賞口４と後述する中央役物２とが備えられている。また、遊技部７の背面には電動部品を制御する制御部（図示せず）が備えられている。この様に構成された遊技部７内に図示しない発射杵により打ち出された遊技球は、外レール５と内レール６に導かれて遊技部７の上部に放たれ、前述した複数の釘に当たって複雑に進行方向を変えながら落下し、途中その進行形路上の入賞口４または後述する中央役物２に入るようになっている。
【００２３】
遊技部７のほぼ中央には、中央役物２が設けられている。この中央役物２の内部は上部（以下「第１ステージ１０」という。）及び下部（以下「第２ステージ１１」という。）に仕切られている。また、両肩には羽根３が設けられており、羽根３が開く（図では閉じている）ことにより、遊技球が中央役物２の内部に導かれるようになっている。なお、羽根３は、前述した入賞口４に遊技球が入った時に、中央役物２の内部に遊技球が入る程度の時間（例えば０．６秒）開放される。羽根３が開くことにより第１ステージ１０に遊技球が入ると、一旦遊技盤の奥に導かれ、再び第２ステージ１１より遊技盤の前面に導かれる。その経路上では様々な演出がなされ、遊技球の進路が変化する。そして、遊技球は中央役物２の下部中央にある特定領域８に入ると、図示しない特定領域検出手段（ＳＷ）からの検出信号が制御部に送られ、その後制御部で乱数処理され、該乱数値に基づき電動図柄表示領域９の図柄が変化する。この図柄は数字を意味し、この数字がランダムに変化して、一定時間経過後に停止する。その時の停止図柄（数字）に応じて特別遊技を実行する（以下「特定遊技状態」という。）。そして、特定遊技状態では羽根３が１８回（１開放０．９秒）開放すること、又は、中央役物２内に１０球入賞（羽根３で拾い中央役物２に入った遊技球を図示しない中央役物入賞ＳＷにて検出）すること、の２つの条件が満たされると１ラウンドが完了する。前記２つの条件の間に、特定領域８に遊技球が入賞すると第２ラウンドに移行し、入賞しなければ特定遊技状態は消滅する。上記の動作が停止図柄（数字）で表示された回数繰り返される。尚、最終ラウンドは特定領域８に入賞しても次のラウンドへ移行する処理は行わない。また、特定領域に入らなかった場合は、特定領域８の左右に設けられたハズレ入賞領域１２に入賞する。
【００２４】
次に図２及び図３を用いて、中央役物２の構成について説明する。
図２は中央役物の組立前の側面図である。中央役物２は、表飾り枠２１、裏機構部２２、上部演出機構部２３及び２つの側面演出機構部２４から構成されるが（図１参照）、図２では、遊技盤正面から見た場合の左右両側に配置される側面演出機構部２４は省略してある。
【００２５】
図３は中央役物２の組立後の側面図である。ただし、図２と同一箇所については同一符号を振ることにより説明を省略する。また、図２と同様に、遊技盤正面から見た場合の左右両側に配置される側面演出機構部２４は省略してある。
【００２６】
図２に示すように、表飾り枠２１には、遊技盤正面から見た時の両肩に羽根３が設けられており、それらを駆動するアクチュエータ２１１が  表飾り枠２１の裏側（図２では右側）に設けられている。また、表飾り枠の中心部には遊技球を裏機構部２２に導くように誘導路２１２が傾斜を付けて設けられている。そして更に、表飾り枠２１の裏側には裏機構部２２と合体するため位置決め手段として長尺状の位置決めロッド２１３及びその先端に係止手段として突起状の爪２１４が設けられている。
【００２７】
上部演出機構部２３には、演出手段である上部演出部材２３１が下部から突出する形で設けられている。上部演出部材２３１は、裏機構部２２の後述する上部誘導路２２１において遊技球の進路を変える等の演出を行う。また、上部演出機構部２３の裏機構部２２への取り付け面には、表飾り枠２１と同様に位置決め手段として長尺上の位置決めロッド２３２及び、その先端に係止手段として突起状の爪２３３が設けられている。
【００２８】
裏機構部２２には、表飾り枠２１の誘導路２１２からつながるように上部誘導路２２１が、遊技盤正面から見た場合の奥方向（図２では右方向）に向かって遊技球を導くように傾斜を付けて形成されている。そして上部誘導路２２１は最奥部の手前で途切れ、遊技球がその直下にある下部誘導路２２２に落下するようになっている。下部誘導路２２２は上部誘導路２２１の下に位置し、遊技盤正面から見た場合の最奥部から手前方向（図２では左方向）に向かって上部誘導路２２１から落下した遊技球を誘導できるように傾斜をつけて形成されている。
【００２９】
また、遊技盤正面から見た場合の裏機構部２２の正面には、表飾り枠２１と合体するための位置決め手段として、表飾り枠２１に設けられた位置決めロッド２１３が収納できるような形状をした位置決めロッド収納孔２２４と、その孔の最奥には係止手段として、表飾り枠２１の位置決めロッド２１３の先端に設けられた爪２１４が引っ掛かるような凹状の形状をした掛止部２２５とが設けられている。そして、これらを用いて表飾り枠２１と裏機構部２２とは、遊技部７に穿設された孔（ルーター２５）を介して合体される。また、裏機構部２２には、上部演出機構部２３及び側面演出機構部２４を係止するために上部及び側面にも正面と同様な位置決めロッド収納孔２２４と掛止部２２５が設けられている。そして、これらを用いて、上部演出機構部２３及び側面演出機構部２４は裏機構部２２に装着される。また、遊技盤正面から見た場合の裏機構部２２の左右側面及び上面には、上部演出機構部２３及び側面演出機構部２４を取り付けるための取り付け穴２２３が設けられている。
【００３０】
次に図４を用いて、遊技盤正面から見た場合の左右両側に配置される側面演出機構部２４について説明する。図４は中央役物２を図３の切断線２６で水平方向に切断した断面図である。裏機構部２２との合体面には裏機構部２２と合体するため位置決め手段として長尺状の位置決めロッド２４５及びその先端に係止手段として突起状の爪２４６が設けられている。側面演出機構部２４の内部には、モーター２４４がその回転軸と誘導路２２２上で誘導される遊技球の誘導方向とが平行になるように設置され、その回転軸にはピニオン
ギヤ２４３が備わっている。そしてその回転軸と直交する様に長尺状のラック２４２が設けられ、ピニオンギヤ２４３と噛み合う様になっている。そしてさらにラック２４２の裏機構部２２側一端には、側面演出部材２４１が設けられている。そして、モーター２４４が正回転及び逆回転することにより、側面演出部材２４１が裏機構部２２の下部誘導路２２２上で遊技盤正面からみた場合の左右方向に動く。なお、ラック２４２が裏機構部２２から最も離れた場所に位置する時には、側面演出部材２４１は、遊技盤正面から見た時に完全に隠蔽された状態になる。このようなモーター２４４、ピニオンギヤ２４３、ラック２４２及び側面演出部材２４１によって構成される機構が、各側面演出機構部２４に３つづつ設けられている。
【００３１】
次に図５を用いて、裏機構部２２の上面に装着される上部演出機構部２３について説明する。図５は遊技盤正面から見た場合の垂直方向に切断した断面図である。最上部にモーター２３４が、回転軸が垂直方向になるように備えられ、その回転軸には回転円盤２３５がモーター２３４と同調して回転するように設けられている。そしてその回転円盤２３５の外周部には、ロッド２２６が設けられ、その先端は球状になっている。そしてその先端には更に、駆動軸２３７を中心に、振り子運動ができるように上部演出部材２３１が設けられている。そして、モーター２３４が回転角１８０度の範囲で正回転及び逆回転することにより、上部演出部材は振り子運動をする。
【００３２】
次に図６を用いて、遊技盤の正面側からみた中央役物２の動作について説明する。羽根３が開く（図６では閉じている）ことにより遊技球が中央役物２の内部の第１ステージ１０に導かれる。第１ステージ１０では、上部演出部材２３１が振り子状に振れ、遊技球の進路に変化を与える。遊技球はその後、遊技盤奥に導かれ、第２ステージ１１にて、再び前面側に導かれる。その際も左右方向に往復運動をする側面演出部材２４１にて遊技球は、進路に変化を与えられ、第２ステージ１１のステージ前面に設けられた特定領域８又はハズレ入賞領域１２に入る。
【００３３】
以上のようなパチンコ遊技盤１の中央役物２では、中央役物２を遊技盤へ装着する時は、装着状態において遊技盤１の表側にある表飾り枠２１は遊技盤１の表側から、装着状態において遊技盤１の裏側にある裏機構部２２と上部演出機構部２３及び側面演出機構部２４は裏側から装着することになる。つまり、ルーターの大きさは、表飾り枠２１と裏機構部２２の接続部を挿通できる程度の大きさであればよい。したがって、ルーターを小さくすることができ、遊技釘の配置スペースを増やすことができる。また、ルーターの大きさを考慮する必要なく裏機構部２２や上部演出機構部２３及び側面演出機構部２４に様々な機構を組み込んでこれらを構成することができる。
【００３４】
故に、本実施例の中央役物２を有するパチンコ遊技機では、役物内の複雑な演出等により遊技者をより楽しませることができる。また、増えた遊技釘により、遊技球が釘に接触することによって起こる動きの変化が複雑となり、遊技者がより期待を持って遊技球の動きを見守ることになる。故に、遊技者の遊技に対しての満足度を上げることができる。
【００３５】
また、表飾り枠２１と裏機構部２２との合体は、位置決めロッド２１３及び爪２１４と、位置決めロッド収納孔２２４及び掛止部２２５とにより、位置決め及び係止される。上部演出機構部２３と裏機構部２２との合体は、位置決めロッド２３２及び爪２３３と、位置決めロッド収納孔２２４及び掛止部２２５により、位置決め及び係止される。側面演出機構部２４と裏機構部２２との合体は、位置決めロッド２４５及び爪２４６と、位置決めロッド収納孔２２４及び掛止部２２５により、位置決め及び係止される。
【００３６】
このような位置決め手段及び係止手段によって各部は合体されるので、合体する双方の位置ががずれることなく瞬時かつ確実に位置決めできる。また、工具を用いてビスを締め
たり緩めたりすることなく手動にて係止できる。したがって組立精度が向上するとともに、組立時及び解体時の作業性が向上する。
【００３７】
そして、上部演出部材２３１及び側面演出部材２４１は遊技球の進路を誘導するので、遊技者はその進路がどの様に変化するか期待を持って遊技演出を見守るため、遊技者の興趣を一層向上させることができる。また側面演出部材２４１は、未動作時は遊技者から隠蔽し、動作時のみ遊技者から見えるようにすることができるので、適宜場合に合わせて側面演出部材２４１を露呈させて演出を多様化できるとともに、どのような演出が為されるかという期待を遊技者に対して持たせることにもなり、遊技者の遊技に対しての興趣を増すことにつながる。
【００３８】
以上、本発明の実施例を説明したが、本発明は上記実施例に限定されるものではなく、種々の態様を採ることができる。
上記実施例のように、表飾り枠２１と裏機構部２２と上部演出機構部２３と側面演出機構部２４とが個々別体で構成されており、組立時に合体させてもよいが、例えば図７のように、あらかじめ表飾り枠２１と裏機構部２２を組立前より一体化されたユニットとして構成しておき、そのユニットを遊技盤前面より挿入し、その後に上部演出機構部２３及び側面演出機構部２４を装着してもよい。このようにすることにより部品点数を減らすことができる上、上記実施例と同様の作用及び効果が得られる。
【００３９】
また、表飾り枠２１、裏機構部２２、上部演出機構部２３及側面演出機構部２４の各機構部の構成材質は、金属（例えばブリキ）でもよいが、樹脂を用いた方が成形しやすく軽量化できる。そして樹脂の中でも特にＰＣ（ポリカーボネート）にすれば、よりリサイクル性がよくなる。
【００４０】
一方、側面演出部材２４１として図８に示すような演出部材を用いてもよい。図８に示す側面演出部材２４１は、キャラクターに敵及び味方を設定し、それを戦わせるようなイメージの演出を行う演出部材である。このような演出部材を用いて演出を行うことにより、演出を多様化できるとともに、演出の行方がどのような為るかという期待を遊技者に対して持たせることにもなり、遊技者の遊技に対しての興趣を増すことにつながる。
【００４１】
一方、側面演出部材２４１に図９に示すような遊技情報を表示させた演出部材を用いてもよい。図９に示す側面演出部材２４１は、電動図柄表示領域９における大当たり予測を示すものである。この他にも、大当たり継続の報知、Ｖ入賞の報知、確率変動の報知及び羽根の開放を報知などを表す演出部材であってもよい。このことにより、更に演出が多様化でき、遊技者の遊技に対しての満足度を向上させることができる。このような演出を行う演出部材を用いることにより、演出を多様化できるとともに、遊技者が次の演出を予測することができ、より興趣を持って遊技を行うことができるようになる。
【００４２】
また、図１０に示すような他の種類の遊技盤に上述した内容を適用してもよい。図１０に示す遊技盤３０は、その表面に円弧状の外レール３５及び内レール３６の２本のレール等により略円形状に囲まれた遊技部３７を備えている。また、遊技部３７には複数の釘とスタートチャッカー３８と始動口３４と中央役物３２と大入賞口４０とが備えられている。また、遊技部３７の背面には電動部品を制御する制御部（図示せず）が備えられている。この様に構成された遊技部３７内に図示しない発射杵により打ち出された遊技球は、外レール３５と内レール３６に導かれて遊技部３７の上部に放たれ、前述した複数の釘に当たって複雑に進行方向を変えながら落下し、途中その進行形路上のスタートチャッカー３８または中央役物３２に入るようになっている。
【００４３】
遊技部３７の下部には、大入賞口４０が設けられており、通常遊技状態では開閉されて
おり遊技球が入らないようになっている。特定遊技状態では開放され、遊技球が内部に入りやすいようになる。
【００４４】
遊技部３７の中央下部には、スタートチャッカー３８が設けられており、スタートチャッカー３８を遊技球が通り抜けると電動図柄表示領域４１にて図柄が変化する。この図柄は数字を意味し、この数字がランダムに変化して、一定時間経過後に停止する。その時の停止図柄（数字）が予め決められた数字と等しければさらに後述する羽根３３の開放を行う。スタートチャッカー３８に連続して遊技球が入った場合には、制御部により最大４個まで保留球として扱い、保留球の数を保留球表示領域４２のＬＥＤを点灯して表示する。そして、保留球表示領域４２に点灯されたＬＥＤの数に応じて、制御部の動作によって電動図柄表示領域４１がの図柄が繰り返し変化する。
【００４５】
遊技部３７のほぼ中央には、中央役物３２が設けられている。この中央役物３２の内部は仕切りにより上部の第１ステージと下部の第２ステージに分かれている。また、両肩には羽根３３が設けられており、羽根３３が開く（図では閉じている）ことにより、遊技球が中央役物３２の内部に導かれるようになっている。なお、羽根３３は、前述した電動図柄表示領域４１に表示される図柄が予め定められた図柄と等しい時に、中央役物３２の内部に遊技球が入る程度の時間（例えば０．６秒）開放される。羽根３３が開くことにより中央役物３２内部の第１ステージに遊技球が入ると、一旦遊技盤の奥に導かれ、再び中央役物３２の第２ステージより遊技盤の前面に導かれる。その経路上では様々な演出がなされ、遊技球の進路が変化する。そして、遊技球は中央役物３２の下部より再び、遊技部３７に排出される。その際、中央役物３２の下方にある始動口３４に入ると、上部電動図柄表示領域３９の図柄が変化する。この図柄は数字を意味し、この数字がランダムに変化し、一定時間経過後に停止する。その時の停止図柄（数字）が上部と下部で等しければ特定遊技状態となる。特定遊技状態では、所定時間（例えば３０秒）を経過するかあるいは、大入賞口４０に所定個数の遊技球が入賞するまで大入賞口４０が開放され、遊技球が大入賞口４０の内部に入り易い状態になる。この動作が１５ラウンド繰り返され、特定遊技状態が終了する。
【００４６】
このような遊技盤３０においても、本発明を適用すれば上記実施例で説明した遊技盤１と同様の効果が得られる。
【符号の説明】
【００４７】
１…遊技盤、２…中央役物、３…羽根、４…入賞口、５…外レール、６…内レール、７…遊技部、８…特定領域、９…電動図柄表示領域、２１…表飾り枠、２２…裏機構部、２３…上部演出機構部、２４…側面演出機構部、２５…ルーター、２１１…アクチュエータ、２１２…誘導路、２２１…上部誘導路、２２２…下部誘導路、２２３…取り付け穴、２３１…上部演出部材、２４１…側面演出部材。
【図１】
2012086098.tif 000003
【図２】
2012086098.tif 000004
【図３】
2012086098.tif 000005
【図４】
2012086098.tif 000006
【図５】
2012086098.tif 000007
【図６】
2012086098.tif 000008
【図７】
2012086098.tif 000009
【図８】
2012086098.tif 000010
【図９】
2012086098.tif 000011
【図１０】
2012086098.tif 000012
【手続補正書】
【提出日】平成24年3月7日(2012.3.7)
【手続補正１】
【補正対象書類名】明細書
【補正対象項目名】全文
【補正方法】変更
【補正の内容】
【発明の詳細な説明】
【技術分野】
【０００１】
本発明は、遊技盤に穿設された孔に取り付けられて、遊技盤に対して奥行きのある遊技球の誘導及び演出を行う遊技機の中央役物に関する。
【背景技術】
【０００２】
従来、この種の中央役物は、遊技盤の表側に装飾が施された表飾り枠と、表飾り枠の内側に流入してきた遊技球を遊技盤の裏側に一旦誘導した後、遊技盤の裏側から表側へ戻す経路を持った裏機構部と、その遊技球の経路上で演出手段により演出を行う演出機構部とが、遊技盤への装着前より一体的にユニットとして構成されていた。そして遊技盤へのユニットの装着は、ユニットを遊技盤の表側より、遊技盤の中央に貫通した孔（ルーター）にはめ込んで装着していた。すなわち、遊技盤の表側から見た時、遊技盤の裏面側に配置されることになるユニットの外形は、ルータの開口面より小さくなるように構成されている必要があった。
【０００３】
このため、遊技盤の裏面側に配置されるユニットの大きさに合わせてルーターを大きくあけるか、もしくはルーターの大きさに合わせて遊技盤の裏面側に配置されるユニットの大きさを制限するというどちらかの方法によって中央役物は、遊技盤に装着されてきた。
【発明の概要】
【発明が解決しようとする課題】
【０００４】
しかし、遊技盤の裏面側に配置されるユニットの大きさを制限してしまうと遊技に関する演出が損なわれてしまう。近年では、遊技者を楽しませるために、演出手段の動きを複雑にし、演出機構部の大型化を進めてきている。そのため、ますますルーターが大きくあけられることになり、遊技本来の醍醐味である釘を配置するスペースを失う結果となってきているのが実状である。
【０００５】
本発明は、かかる課題に鑑みなされたもので、ルーターを小さくし遊技本来の醍醐味である釘の配置するスペースを大きくとると共に、中央役物の遊技盤の裏面側の部分を大きくし中央役物において行われる演出を多様なものとして、遊技者の遊技に対する満足度を上げることを目的とする。
【課題を解決するための手段】
【０００６】
かかる目的を達成するためになされた請求項１に記載の発明は、遊技盤の表側に装飾が施された表飾り枠と、該表飾り枠の内側に流入してきた遊技球を前記遊技盤の裏側に一旦誘導した後、該遊技盤の裏側から表側へと戻す経路を形成する裏機構部と、該裏機構部にて形成される前記遊技球の経路に演出手段を配置し、該演出手段を駆動することにより各種演出を行う１又は複数の演出機構部と、からなり、前記遊技盤に穿設された孔に取り付けられて、前記遊技盤に対して奥行きのある遊技球の誘導及び演出を行う遊技機の中央役物であって、前記表飾り枠と前記裏機構部とは各々別体で構成されると共に、前記表飾り枠は前記遊技盤の孔に対して表側から装着可能に構成され、前記裏機構部は前記遊技盤の孔に対して裏側から装着可能に構成され、前記表飾り枠と前記裏機構部とには、互いに係合可能な第一係合手段が夫々設けられ、前記表飾り枠及び前記裏機構部は、前記遊技盤への装着時に前記孔を介して各第一係合手段が互いに係合することにより、互いに連結されて前記遊技盤を挟持し、前記裏機構部と前記演出機構部とは各々別体で構成され、前記裏機構部と前記演出機構部とには互いに係合可能な第二係合手段が設けられ、前記演出機構部は、該第二係合手段を介して、前記裏機構部に装着・固定され、前記演出手段は、遊技機の動作状態若しくは動作予測を報知することを特徴とする。
【０００７】
【０００８】
【０００９】
【００１０】
このように本発明の中央役物では、装着状態において遊技盤の表側にある表飾り枠は遊技盤の表側から装着し、装着状態において遊技盤の裏側にある裏機構部と演出機構部は裏側から装着することになる。つまり、ルーターの大きさは、表飾り枠と裏機構部の接続部を挿通できる程度の大きさであればよい。したがって、ルーターを小さくすることができ、遊技釘の配置スペースを増やすことができる。また、ルーターの大きさを考慮する必要なく裏機構部や演出機構部に様々な機構を組み込んで構成することができる。
【００１１】
故に、本発明の中央役物を有するパチンコ遊技機では、役物内の複雑な演出等により遊技者をより楽しませることができる。また、増えた遊技釘により、遊技球が釘に接触することによって起こる遊技球の動きの変化が複雑となり、遊技者がより期待を持って遊技球の動きを見守ることになる。したがって、遊技者の遊技に対しての満足度を上げることができる。
【００１２】
ここで、表飾り枠と裏機構部とは個々別体で構成されているため、これら二つを合体させ固定させる何らかの固定手段が必要である。そこで、請求項１に記載の発明のように、表飾り枠と裏機構部とには、互いに係合可能な第一係合手段をそれぞれ設けるとよい。このようにすることにより、表飾り枠と裏機構部とは、遊技盤への装着時にそれぞれの第一係合手段が互いに係合することにより組立てることができ、ルーターを介して遊技盤に装着できる。すなわち、組立て時及び解体時の作業性が向上する。
【００１３】
【００１４】
裏機構部と演出機構部とは、別体で構成しておくと更によい。そして遊技盤への装着時には、まず表飾り枠と裏機構部を装着し、その後に演出機構部を装着するようにするとよい。なぜなら、遊技盤装着前より、裏機構部と演出機構部が一体であるとその一体化されたユニットは裏機構部だけに比べて大きさや重量が増しており、遊技盤への装着時の扱いが容易ではないが、表飾り枠と裏機構部を先に装着し、その後演出機構部を装着すれば、これら各部の遊技盤への装着が前記ユニットとして装着するのに比べ大きさや重量の点で作業が容易となるからである。
【００１５】
また、裏機構部と演出機構部とは個々別体で構成されているため、これら二つを合体させ固定させる何らかの固定手段が必要である。そこで、請求項１に記載の発明のように、裏機構部と演出機構部とには、互いに係合可能な第二係合手段をそれぞれ設けるとよい。このようにすることにより、裏機構部と演出機構部とは、合体時にそれぞれの第二係合手段が互いに係合することにより組立でき、ルーターを介して遊技盤に装着できる。すなわち、組立て時及び解体時の作業性が向上する。
【００１６】
【００１７】
【００１８】
【００１９】
更に、前記演出手段は請求項１に記載のように、遊技機の動作若しくは動作予測を報知するようにするとよい。このような報知により、遊技者は次の遊技の状態を予測及び期待することを行い、演出がより効果を増すことにつながり、遊技者の遊技に対する満足度を上げることができる。
【００２０】
そして、前記演出手段は請求項２に記載のように、演出手段を、裏機構部内に設けられている遊技球の経路上で移動させて、遊技球の進路を誘導するようにしてもよい。このようにすると、遊技演出が遊技球の進路を誘導する演出とすることができるので、遊技者はその進路がどの様に変化するか期待を持って遊技演出を見守るため、遊技者の興趣を一層向上させることができる。
【図面の簡単な説明】
【００２１】
【図１】パチンコ遊技機の遊技盤を表す正面図である。
【図２】中央役物の組立前の側面図である。
【図３】中央役物の組立後の側面図である。
【図４】中央役物を水平方向に切断した断面図である。
【図５】上部演出機構部の垂直方向に切断した断面図である。
【図６】中央役物の正面図である。
【図７】他の中央役物の組立前側面図である。
【図８】他の中央役物の正面図である。
【図９】他の中央役物の正面図である。
【図１０】他のパチンコ遊技機の遊技盤を表す正面図である。
【発明を実施するための形態】
【００２２】
以下に本発明を具体化した実施例を図面と共に説明する。
図１は本発明の一実施例であるパチンコ遊技盤１の概略正面図である。このパチンコ遊技盤１はその表面に円弧状の外レール５及び内レール６の２本のレール等により略円形状に囲まれた遊技部７を備えている。また、遊技部７には複数の釘と３カ所の入賞口４と後述する中央役物２とが備えられている。また、遊技部７の背面には電動部品を制御する制御部（図示せず）が備えられている。この様に構成された遊技部７内に図示しない発射杵により打ち出された遊技球は、外レール５と内レール６に導かれて遊技部７の上部に放たれ、前述した複数の釘に当たって複雑に進行方向を変えながら落下し、途中その進行形路上の入賞口４または後述する中央役物２に入るようになっている。
【００２３】
遊技部７のほぼ中央には、中央役物２が設けられている。この中央役物２の内部は上部（以下「第１ステージ１０」という。）及び下部（以下「第２ステージ１１」という。）に仕切られている。また、両肩には羽根３が設けられており、羽根３が開く（図では閉じている）ことにより、遊技球が中央役物２の内部に導かれるようになっている。なお、羽根３は、前述した入賞口４に遊技球が入った時に、中央役物２の内部に遊技球が入る程度の時間（例えば０．６秒）開放される。羽根３が開くことにより第１ステージ１０に遊技球が入ると、一旦遊技盤の奥に導かれ、再び第２ステージ１１より遊技盤の前面に導かれる。その経路上では様々な演出がなされ、遊技球の進路が変化する。そして、遊技球は中央役物２の下部中央にある特定領域８に入ると、図示しない特定領域検出手段（ＳＷ）からの検出信号が制御部に送られ、その後制御部で乱数処理され、該乱数値に基づき電動図柄表示領域９の図柄が変化する。この図柄は数字を意味し、この数字がランダムに変化して、一定時間経過後に停止する。その時の停止図柄（数字）に応じて特別遊技を実行する（以下「特定遊技状態」という。）。そして、特定遊技状態では羽根３が１８回（１開放０．９秒）開放すること、又は、中央役物２内に１０球入賞（羽根３で拾い中央役物２に入った遊技球を図示しない中央役物入賞ＳＷにて検出）すること、の２つの条件が満たされると１ラウンドが完了する。前記２つの条件の間に、特定領域８に遊技球が入賞すると第２ラウンドに移行し、入賞しなければ特定遊技状態は消滅する。上記の動作が停止図柄（数字）で表示された回数繰り返される。尚、最終ラウンドは特定領域８に入賞しても次のラウンドへ移行する処理は行わない。また、特定領域に入らなかった場合は、特定領域８の左右に設けられたハズレ入賞領域１２に入賞する。
【００２４】
次に図２及び図３を用いて、中央役物２の構成について説明する。
図２は中央役物の組立前の側面図である。中央役物２は、表飾り枠２１、裏機構部２２、上部演出機構部２３及び２つの側面演出機構部２４から構成されるが（図１参照）、図２では、遊技盤正面から見た場合の左右両側に配置される側面演出機構部２４は省略してある。
【００２５】
図３は中央役物２の組立後の側面図である。ただし、図２と同一箇所については同一符号を振ることにより説明を省略する。また、図２と同様に、遊技盤正面から見た場合の左右両側に配置される側面演出機構部２４は省略してある。
【００２６】
図２に示すように、表飾り枠２１には、遊技盤正面から見た時の両肩に羽根３が設けられており、それらを駆動するアクチュエータ２１１が 表飾り枠２１の裏側（図２では右側）に設けられている。また、表飾り枠の中心部には遊技球を裏機構部２２に導くように誘導路２１２が傾斜を付けて設けられている。そして更に、表飾り枠２１の裏側には裏機構部２２と合体するため位置決め手段として長尺状の位置決めロッド２１３及びその先端に係止手段として突起状の爪２１４が設けられている。
【００２７】
上部演出機構部２３には、演出手段である上部演出部材２３１が下部から突出する形で設けられている。上部演出部材２３１は、裏機構部２２の後述する上部誘導路２２１において遊技球の進路を変える等の演出を行う。また、上部演出機構部２３の裏機構部２２への取り付け面には、表飾り枠２１と同様に位置決め手段として長尺上の位置決めロッド２３２及び、その先端に係止手段として突起状の爪２３３が設けられている。
【００２８】
裏機構部２２には、表飾り枠２１の誘導路２１２からつながるように上部誘導路２２１が、遊技盤正面から見た場合の奥方向（図２では右方向）に向かって遊技球を導くように傾斜を付けて形成されている。そして上部誘導路２２１は最奥部の手前で途切れ、遊技球がその直下にある下部誘導路２２２に落下するようになっている。下部誘導路２２２は上部誘導路２２１の下に位置し、遊技盤正面から見た場合の最奥部から手前方向（図２では左方向）に向かって上部誘導路２２１から落下した遊技球を誘導できるように傾斜をつけて形成されている。
【００２９】
また、遊技盤正面から見た場合の裏機構部２２の正面には、表飾り枠２１と合体するための位置決め手段として、表飾り枠２１に設けられた位置決めロッド２１３が収納できるような形状をした位置決めロッド収納孔２２４と、その孔の最奥には係止手段として、表飾り枠２１の位置決めロッド２１３の先端に設けられた爪２１４が引っ掛かるような凹状の形状をした掛止部２２５とが設けられている。そして、これらを用いて表飾り枠２１と裏機構部２２とは、遊技部７に穿設された孔（ルーター２５）を介して合体される。また、裏機構部２２には、上部演出機構部２３及び側面演出機構部２４を係止するために上部及び側面にも正面と同様な位置決めロッド収納孔２２４と掛止部２２５が設けられている。そして、これらを用いて、上部演出機構部２３及び側面演出機構部２４は裏機構部２２に装着される。また、遊技盤正面から見た場合の裏機構部２２の左右側面及び上面には、上部演出機構部２３及び側面演出機構部２４を取り付けるための取り付け穴２２３が設けられている。
【００３０】
次に図４を用いて、遊技盤正面から見た場合の左右両側に配置される側面演出機構部２４について説明する。図４は中央役物２を図３の切断線２６で水平方向に切断した断面図である。裏機構部２２との合体面には裏機構部２２と合体するため位置決め手段として長尺状の位置決めロッド２４５及びその先端に係止手段として突起状の爪２４６が設けられている。側面演出機構部２４の内部には、モーター２４４がその回転軸と誘導路２２２上で誘導される遊技球の誘導方向とが平行になるように設置され、その回転軸にはピニオンギヤ２４３が備わっている。そしてその回転軸と直交する様に長尺状のラック２４２が設けられ、ピニオンギヤ２４３と噛み合う様になっている。そしてさらにラック２４２の裏機構部２２側一端には、側面演出部材２４１が設けられている。そして、モーター２４４が正回転及び逆回転することにより、側面演出部材２４１が裏機構部２２の下部誘導路２２２上で遊技盤正面からみた場合の左右方向に動く。なお、ラック２４２が裏機構部２２から最も離れた場所に位置する時には、側面演出部材２４１は、遊技盤正面から見た時に完全に隠蔽された状態になる。このようなモーター２４４、ピニオンギヤ２４３、ラック２４２及び側面演出部材２４１によって構成される機構が、各側面演出機構部２４に３つづつ設けられている。
【００３１】
次に図５を用いて、裏機構部２２の上面に装着される上部演出機構部２３について説明する。図５は遊技盤正面から見た場合の垂直方向に切断した断面図である。最上部にモーター２３４が、回転軸が垂直方向になるように備えられ、その回転軸には回転円盤２３５がモーター２３４と同調して回転するように設けられている。そしてその回転円盤２３５の外周部には、ロッド２２６が設けられ、その先端は球状になっている。そしてその先端には更に、駆動軸２３７を中心に、振り子運動ができるように上部演出部材２３１が設けられている。そして、モーター２３４が回転角１８０度の範囲で正回転及び逆回転することにより、上部演出部材は振り子運動をする。
【００３２】
次に図６を用いて、遊技盤の正面側からみた中央役物２の動作について説明する。羽根３が開く（図６では閉じている）ことにより遊技球が中央役物２の内部の第１ステージ１０に導かれる。第１ステージ１０では、上部演出部材２３１が振り子状に振れ、遊技球の進路に変化を与える。遊技球はその後、遊技盤奥に導かれ、第２ステージ１１にて、再び前面側に導かれる。その際も左右方向に往復運動をする側面演出部材２４１にて遊技球は、進路に変化を与えられ、第２ステージ１１のステージ前面に設けられた特定領域８又はハズレ入賞領域１２に入る。
【００３３】
以上のようなパチンコ遊技盤１の中央役物２では、中央役物２を遊技盤へ装着する時は、装着状態において遊技盤１の表側にある表飾り枠２１は遊技盤１の表側から、装着状態において遊技盤１の裏側にある裏機構部２２と上部演出機構部２３及び側面演出機構部２４は裏側から装着することになる。つまり、ルーターの大きさは、表飾り枠２１と裏機構部２２の接続部を挿通できる程度の大きさであればよい。したがって、ルーターを小さくすることができ、遊技釘の配置スペースを増やすことができる。また、ルーターの大きさを考慮する必要なく裏機構部２２や上部演出機構部２３及び側面演出機構部２４に様々な機構を組み込んでこれらを構成することができる。
【００３４】
故に、本実施例の中央役物２を有するパチンコ遊技機では、役物内の複雑な演出等により遊技者をより楽しませることができる。また、増えた遊技釘により、遊技球が釘に接触することによって起こる動きの変化が複雑となり、遊技者がより期待を持って遊技球の動きを見守ることになる。故に、遊技者の遊技に対しての満足度を上げることができる。
【００３５】
また、表飾り枠２１と裏機構部２２との合体は、位置決めロッド２１３及び爪２１４と、位置決めロッド収納孔２２４及び掛止部２２５とにより、位置決め及び係止される。上部演出機構部２３と裏機構部２２との合体は、位置決めロッド２３２及び爪２３３と、位置決めロッド収納孔２２４及び掛止部２２５により、位置決め及び係止される。側面演出機構部２４と裏機構部２２との合体は、位置決めロッド２４５及び爪２４６と、位置決めロッド収納孔２２４及び掛止部２２５により、位置決め及び係止される。
【００３６】
このような位置決め手段及び係止手段によって各部は合体されるので、合体する双方の位置ががずれることなく瞬時かつ確実に位置決めできる。また、工具を用いてビスを締めたり緩めたりすることなく手動にて係止できる。したがって組立精度が向上するとともに、組立時及び解体時の作業性が向上する。
【００３７】
そして、上部演出部材２３１及び側面演出部材２４１は遊技球の進路を誘導するので、遊技者はその進路がどの様に変化するか期待を持って遊技演出を見守るため、遊技者の興趣を一層向上させることができる。また側面演出部材２４１は、未動作時は遊技者から隠蔽し、動作時のみ遊技者から見えるようにすることができるので、適宜場合に合わせて側面演出部材２４１を露呈させて演出を多様化できるとともに、どのような演出が為されるかという期待を遊技者に対して持たせることにもなり、遊技者の遊技に対しての興趣を増すことにつながる。
【００３８】
以上、本発明の実施例を説明したが、本発明は上記実施例に限定されるものではなく、種々の態様を採ることができる。
上記実施例のように、表飾り枠２１と裏機構部２２と上部演出機構部２３と側面演出機構部２４とが個々別体で構成されており、組立時に合体させてもよいが、例えば図７のように、あらかじめ表飾り枠２１と裏機構部２２を組立前より一体化されたユニットとして構成しておき、そのユニットを遊技盤前面より挿入し、その後に上部演出機構部２３及び側面演出機構部２４を装着してもよい。このようにすることにより部品点数を減らすことができる上、上記実施例と同様の作用及び効果が得られる。
【００３９】
また、表飾り枠２１、裏機構部２２、上部演出機構部２３及側面演出機構部２４の各機構部の構成材質は、金属（例えばブリキ）でもよいが、樹脂を用いた方が成形しやすく軽量化できる。そして樹脂の中でも特にＰＣ（ポリカーボネート）にすれば、よりリサイクル性がよくなる。
【００４０】
一方、側面演出部材２４１として図８に示すような演出部材を用いてもよい。図８に示す側面演出部材２４１は、キャラクターに敵及び味方を設定し、それを戦わせるようなイメージの演出を行う演出部材である。このような演出部材を用いて演出を行うことにより、演出を多様化できるとともに、演出の行方がどのような為るかという期待を遊技者に対して持たせることにもなり、遊技者の遊技に対しての興趣を増すことにつながる。
【００４１】
一方、側面演出部材２４１に図９に示すような遊技情報を表示させた演出部材を用いてもよい。図９に示す側面演出部材２４１は、電動図柄表示領域９における大当たり予測を示すものである。この他にも、大当たり継続の報知、Ｖ入賞の報知、確率変動の報知及び羽根の開放を報知などを表す演出部材であってもよい。このことにより、更に演出が多様化でき、遊技者の遊技に対しての満足度を向上させることができる。このような演出を行う演出部材を用いることにより、演出を多様化できるとともに、遊技者が次の演出を予測することができ、より興趣を持って遊技を行うことができるようになる。
【００４２】
また、図１０に示すような他の種類の遊技盤に上述した内容を適用してもよい。図１０に示す遊技盤３０は、その表面に円弧状の外レール３５及び内レール３６の２本のレール等により略円形状に囲まれた遊技部３７を備えている。また、遊技部３７には複数の釘とスタートチャッカー３８と始動口３４と中央役物３２と大入賞口４０とが備えられている。また、遊技部３７の背面には電動部品を制御する制御部（図示せず）が備えられている。この様に構成された遊技部３７内に図示しない発射杵により打ち出された遊技球は、外レール３５と内レール３６に導かれて遊技部３７の上部に放たれ、前述した複数の釘に当たって複雑に進行方向を変えながら落下し、途中その進行形路上のスタートチャッカー３８または中央役物３２に入るようになっている。
【００４３】
遊技部３７の下部には、大入賞口４０が設けられており、通常遊技状態では開閉されており遊技球が入らないようになっている。特定遊技状態では開放され、遊技球が内部に入りやすいようになる。
【００４４】
遊技部３７の中央下部には、スタートチャッカー３８が設けられており、スタートチャッカー３８を遊技球が通り抜けると電動図柄表示領域４１にて図柄が変化する。この図柄は数字を意味し、この数字がランダムに変化して、一定時間経過後に停止する。その時の停止図柄（数字）が予め決められた数字と等しければさらに後述する羽根３３の開放を行う。スタートチャッカー３８に連続して遊技球が入った場合には、制御部により最大４個まで保留球として扱い、保留球の数を保留球表示領域４２のＬＥＤを点灯して表示する。そして、保留球表示領域４２に点灯されたＬＥＤの数に応じて、制御部の動作によって電動図柄表示領域４１の図柄が繰り返し変化する。
【００４５】
遊技部３７のほぼ中央には、中央役物３２が設けられている。この中央役物３２の内部は仕切りにより上部の第１ステージと下部の第２ステージに分かれている。また、両肩には羽根３３が設けられており、羽根３３が開く（図では閉じている）ことにより、遊技球が中央役物３２の内部に導かれるようになっている。なお、羽根３３は、前述した電動図柄表示領域４１に表示される図柄が予め定められた図柄と等しい時に、中央役物３２の内部に遊技球が入る程度の時間（例えば０．６秒）開放される。羽根３３が開くことにより中央役物３２内部の第１ステージに遊技球が入ると、一旦遊技盤の奥に導かれ、再び中央役物３２の第２ステージより遊技盤の前面に導かれる。その経路上では様々な演出がなされ、遊技球の進路が変化する。そして、遊技球は中央役物３２の下部より再び、遊技部３７に排出される。その際、中央役物３２の下方にある始動口３４に入ると、上部電動図柄表示領域３９の図柄が変化する。この図柄は数字を意味し、この数字がランダムに変化し、一定時間経過後に停止する。その時の停止図柄（数字）が上部と下部で等しければ特定遊技状態となる。特定遊技状態では、所定時間（例えば３０秒）を経過するかあるいは、大入賞口４０に所定個数の遊技球が入賞するまで大入賞口４０が開放され、遊技球が大入賞口４０の内部に入り易い状態になる。この動作が１５ラウンド繰り返され、特定遊技状態が終了する。
【００４６】
このような遊技盤３０においても、本発明を適用すれば上記実施例で説明した遊技盤１と同様の効果が得られる。
【符号の説明】
【００４７】
１…遊技盤、２…中央役物、３…羽根、４…入賞口、５…外レール、６…内レール、７…遊技部、８…特定領域、９…電動図柄表示領域、２１…表飾り枠、２２…裏機構部、２３…上部演出機構部、２４…側面演出機構部、２５…ルーター、２１１…アクチュエータ、２１２…誘導路、２２１…上部誘導路、２２２…下部誘導路、２２３…取り付け穴、２３１…上部演出部材、２４１…側面演出部材。
【手続補正２】
【補正対象書類名】特許請求の範囲
【補正対象項目名】全文
【補正方法】変更
【補正の内容】
【特許請求の範囲】
【請求項１】
遊技盤の表側に装飾が施された表飾り枠と、
該表飾り枠の内側に流入してきた遊技球を前記遊技盤の裏側に一旦誘導した後、該遊技盤の裏側から表側へと戻す経路を形成する裏機構部と、
該裏機構部にて形成される前記遊技球の経路に演出手段を配置し、該演出手段を駆動することにより各種演出を行う１又は複数の演出機構部と、
からなり、前記遊技盤に穿設された孔に取り付けられて、前記遊技盤に対して奥行きのある遊技球の誘導及び演出を行う遊技機の中央役物であって、
前記表飾り枠と前記裏機構部とは各々別体で構成されると共に、前記表飾り枠は前記遊技盤の孔に対して表側から装着可能に構成され、前記裏機構部は前記遊技盤の孔に対して裏側から装着可能に構成され、
前記表飾り枠と前記裏機構部とには、互いに係合可能な第一係合手段が夫々設けられ、前記表飾り枠及び前記裏機構部は、前記遊技盤への装着時に前記孔を介して各第一係合手段が互いに係合することにより、互いに連結されて前記遊技盤を挟持し、
前記裏機構部と前記演出機構部とは各々別体で構成され、前記裏機構部と前記演出機構部とには互いに係合可能な第二係合手段が設けられ、前記演出機構部は、該第二係合手段を介して、前記裏機構部に装着・固定され、
前記演出手段は、遊技機の動作状態若しくは動作予測を報知することを特徴とする遊技機の中央役物。
【請求項２】
前記演出機構部は、前記演出手段を前記経路上で移動させることにより、遊技球の進路を誘導することを特徴とする請求項１記載の遊技機の中央役物。